(57)【要約】      （修正有）【課題】極めて簡単な構造であっても、留守中に宅配便等の荷物を受け取ることができる各家屋の玄関扉等に設置するための宅配便受け取口を提供すること。【解決手段】玄関扉内側の開口部２０近傍に開口部２０を挟んで設置された一対の固定部３０と、玄関扉の外側から開口部２０と対面しつつ出し入れ自在に設置された引き出し部４０から構成されており、さらに、引き出し部４０は、開口蓋部５０と、先端が外側に向かって略直角方向に曲がった形状を有しており、回動自在に設置され、かつ、外側方向への付勢手段を備えた一対の突起部６０からなることを特徴とする宅配便受け取り口とした。【選択図】図１
2017136192.tif 000002
【特許請求の範囲】
【請求項１】
留守中であっても宅配便等の小荷物を受け取ることができる開口部を有する玄関扉等に設置するための宅配便受け取り口であって、
玄関扉内側の開口部近傍に前記開口部を挟んで設置された一対の固定部と、
玄関扉の外側から前記開口部と対面しつつ出し入れ自在に設置された引き出し部から構成されており、
さらに、前記引き出し部は、
開口蓋部と、
先端が外側に向かって略直角方向に曲がった形状を有しており、回動自在に設置され、かつ、外側方向への付勢手段を備えた一対の突起部からなることを特徴とする宅配便受け取り口。
【請求項２】
前記付勢手段は前記突起部の外側と前記開口蓋部が弾性部材により連結されていることによるものであることを特徴とする請求項１に記載の宅配便受け取り口。
【請求項３】
前記付勢手段は前記突起部の先端端面と前記固定部の先端外側に磁性材料が設置されていることによるものであることを特徴とする請求項１または請求項２に記載の宅配便受け取り口。
【発明の詳細な説明】
【技術分野】
【０００１】
本発明は、家人が留守中であっても宅配便等の小荷物を受け取ることができる各家屋の玄関扉等に設置するための宅配便受け取口に関する。さらに言えば、極めて簡単な構造であっても、留守中に宅配便等の小荷物を受け取ることができる各家屋の開口部を有する玄関扉等に設置するための宅配便受け取口に関する。
【背景技術】
【０００２】
近年、一人暮らし世帯の増加、及び女性の社会進出等に伴い、昼間の時間帯において不在世帯が増加している。さらに、ネットショッピングの普及等も重なり、宅配便サービスの利用が増加した結果、宅配便の再配達率が２０％以上になってしまっているという問題がある。宅配便の再配達率が２０％以上になる事に起因して発生するマイナス面として、環境面においては、営業用トラックの年間排出量の１％に相当する年間約４２万トンの二酸化炭素（ＣＯ２）の発生、経済面においては、年間約１．８億時間（年約９万人分）の労働力に相当し、労働力不足による宅配便サービスの持続可能性が懸念されている。即ち、再配達率増加による社会的損失としての問題が顕著に表面化しており、対策は急務であると言える。
【０００３】
宅配便の再配達率増加による社会的損失に対応するための対策として、ウェブサイトやスマホアプリによる宅配・通販業者からのユーザーへの配達日時の通知、及び配達日時変更手続きの容易化以外にも、配達日時指定サービスの原則無料提供、コンビニ等での宅配便小荷物受け取りの利便性向上、宅配便受け取り専用の宅配ボックスを集合住宅や駅等にも整備すること等が検討されている。しかしながら、本来の宅配便ビジネスの形として、家人が留守であっても各家屋にて宅配便小荷物を受け取ることができる事が好ましく、宅配便により配送される小荷物を家人が留守であっても、防犯上の問題をクリアしつつ、各家屋の玄関先から家屋内に搬入することが可能にするための一般家屋用の宅配ボックス等に関する技術開発も盛んに行われている状況にある。
【０００４】
特許文献１には、宅配受け付きドアにおける小扉を施錠するための宅配受け付きドアの施錠機構に関して、「施錠機構を確実なものとし、表示部材を移動させても開錠することができない宅配受け付きドアの施錠機構を提供する（先行文献１：要約）」ことを目的として、「配達人は小扉を開けて荷物を納めた後、小扉ロックボタンを押す。それによりロックレバーを介して、レバー部材が回動し、スプリング部材を介してロック部材をベースの端面から突出させ、ロック位置となる。小扉を閉めると、ロック部材が一旦押し込まれた後、スプリング部材により突出し、係合部材に係合して小扉をロックする。レバー部材にキックバネを設け、レバー部材を解除位置またはロック位置に付勢し、動作を確実にしている（先行文献１：要約から抜粋して記載）。」技術が開示されている。
【先行技術文献】
【特許文献】
【０００５】
【特許文献１】特開平８−２８１１３号公報
【発明の概要】
【発明が解決しようとする課題】
【０００６】
特許文献１に係る宅配受け付きドアの施錠機構（特許文献１：発明の名称）は、宅配受け付きドアにおける小扉を施錠するための宅配受け付きドアの施錠機構に関して、施錠機構を確実なものとし、表示部材を移動させても開錠することができない宅配受け付きドアの施錠機構を提供するために、レバー部材（キックバネ付き）、スプリング部材、ロック部材等多くの部品を必要とし、一見して複雑な構造になっているため、製造コストも掛かるし、設置に手間も掛かるし、メンテナンスの観点から見ても手間が掛かるという問題があった。
【０００７】
これらの状況を踏まえ出願人らは鋭意工夫を重ねた結果、本発明に至ったのである。本発明の目的は、極めて簡単な構造であっても、留守中に宅配便等の小荷物を受け取ることができる各家屋の玄関扉等に設置するための宅配便受け取り口を提供することにある。
【課題を解決するための手段】
【０００８】
上記課題を解決するために、請求項１に記載された発明は、留守中であっても宅配便等の小荷物を受け取ることができる開口部を有する玄関扉等に設置するための宅配便受け取り口であって、玄関扉内側の開口部近傍に前記開口部を挟んで設置された一対の固定部と、玄関扉の外側から前記開口部と対面しつつ出し入れ自在に設置された引き出し部から構成されており、さらに、前記引き出し部は、開口蓋部と、先端が外側に向かって略直角方向に曲がった形状を有しており、回動自在に設置され、かつ、外側方向への付勢手段を備えた一対の突起部からなることを特徴とする宅配便受け取り口であることを特徴とするものである。
【０００９】
請求項２に記載された発明は、請求項１において、前記付勢手段は前記突起部の外側と前記開口蓋部が弾性部材により連結されていることによる宅配便受け取り口であることを特徴とするものである。
【００１０】
請求項３に記載された発明は、請求項１または請求項２において、前記付勢手段は前記突起部の先端端面と前記固定部の先端外側に磁性材料が設置されていることによる宅配便受け取り口であることを特徴とするものである。
【発明の効果】
【００１１】
本発明に係る宅配便受け取り口は、玄関扉内側の開口部近傍に前記開口部を挟んで設置された一対の固定部と、玄関扉の外側から開口部と対面しつつ出し入れ自在に設置された引き出し部から構成されている。さらに、引き出し部は、開口蓋部と、先端が外側に向かって略直角方向に曲がった形状を有した一対の突起部から構成されている。突起部は、回動自在に設置され、かつ、外側方向への付勢手段を備えている。要するに、複雑な機構等を必要とすること無く、固定部に突起部の先端を引っ掛けることにより施錠することができる仕組みになっている。
【００１２】
付勢手段の具体例として、引き出し部の突起部は、回動自在に設置されており、突起部の外側と開口蓋部が弾性部材により連結されているので、宅配便の小荷物を玄関扉の開口部から搬入した後、開口蓋部を玄関扉の位置まで押し出すと、弾性部材により連結された突起部が弾性により外側に広がることにより、宅配便受け取り口を施錠することができるようになっている。
【００１３】
付勢手段のさらなる具体例として、引き出し部の突起部は、回動自在に設置されており、突起部の先端端面と固定部の先端外側に磁性材料が設置されているので、宅配便の小荷物を玄関扉の開口部から搬入した後、開口蓋部を玄関扉の位置まで押し出すと、突起部の先端端面に設置した磁性材料が固定部の先端外側に設置した（固定されている）磁性材料に引き寄せられることにより、回動自在に設置された突起部が外側に広がることにより、宅配便受け取り口を施錠することができるようになっている。上記に述べたように、必要な部材が「固定部と引き出し部のみ」という極めて簡単な構造であっても留守中に宅配便等の小荷物を受け取ることができるようになった。
【図面の簡単な説明】
【００１４】
【図１】本発明に係る宅配便受け取り口を構成する固定部、及び引き出し部（開口蓋部、突起部）の上面全体図である。
【図２】宅配便受け取口の使用方法を説明するための図である。
【図３】宅配便受け取口が玄関扉に設置された状態を説明するための図である。
【図４】変更例に係る開口蓋部、及び突起部の上面全体図である。
【発明を実施するための形態】
【００１５】
＜宅配便受け取り口の構造＞
以下、本発明に係る宅配便受け取り口１０の一実施形態について、図１〜図３に基づいて詳細に説明する。図１は、本発明に係る宅配便受け取り口１０を構成する固定部３０、及び引き出し部４０（開口蓋部５０、突起部６０）の上面全体図である。図１（ａ）は引き出し部４０（開口蓋部５０、突起部６０）の上面全体図であり、図１（ｂ）は固定部３０の上面全体図である。
【００１６】
図１（ａ）、及び図１（ｂ）に記載したように、本発明に係る宅配便受け取り口１０は、玄関扉に設置した開口部２０の内側面、又は内側面近傍に、開口部２０を挟んで左右対称に設置された、一対の固定部４０と、玄関扉の外側から玄関扉の開口部２０と対面するように出し入れ自在に設置された、開口蓋部５０と突起部６０からなる引き出し部４０とから構成されている。突起部６０は、一対の固定部４０に引っ掛かるような先端形状（先端が外側に向かって略直角方向に曲がった形状）を備えている。
【００１７】
突起部６０は図１（ａ）に記載したように、突起部６０の基端内側と開口蓋部５０が蝶番（ヒンジ）により開口蓋部５０と固定されている。即ち、開口部２０の中心に向かって回動自在に設置されており、さらに、突起部６０の外側（基端である必要は無い）と開口蓋部５０が弾性部材（一例としてつるまきバネ）により連結されている。要するに、突起部６０は、開口蓋部５０からの突起の基点を回動中心軸として、弾性部材（例えばつるまきバネ）によって外側に向かって付勢されつつ、開口部２０の中心に向かって回動できるような仕組みになっている。尚、蝶番（ヒンジ）により開口蓋部５０と固定された突起部６０は、突起部６０の先端面と開口蓋部５０の接触面が互いに干渉することにより、蝶番（ヒンジ）が９０°以上に開くことが無い。即ち、突起部６０は、図１（ａ）の位置よりも外側には回動できないようになっている。
【００１８】
開口蓋部５０の端付近は、引き出し部４０が玄関扉と一定の距離以上に離れないように（要するに盗難防止目的で）鎖等で繋がっている。鎖の他端は玄関扉の一部に固着されており、図１（ａ）に記載したように鎖は収納し易いように巻かれている。鎖以外にも盗難防止目的を達成できるのであれば、ロープや太い針金等であっても良いし、鎖等を開口蓋部５０の両端付近に設置しても良い。
【００１９】
＜宅配便受け取り口の使用方法＞
図２は、宅配便受け取り口１０の使用方法を説明するための図である。図２（ａ）は初期状態、即ち、宅配便配達人が各家屋の玄関先に到着した時の状態であり、図２（ｂ）は宅配便配達人が、宅配便受け取り口１０（正確に表現すると、玄関扉に設置した開口部２０）を通じて小荷物を搬入するために引き出し部４０を取っ手を掴んで引き出した状態であり、図２（ｃ）は宅配便配達人による小荷物の搬入が完了し、かつ、施錠が完了した時の状態である。そして、図２（ｄ）は、付勢手段が磁性材料の磁力による宅配便受け取り口１０の上面全体図である。
【００２０】
宅配便配達人が、宅配便受け取り口１０が設置された各家屋の玄関先に到着した時（即ち、初期状態において）は、図２（ａ）に記載したように、回動自在に設置された突起部６０先端の端面が固定部４０の先端の側面と接した状態になっている。即ち、引き出し部４０の突起部６０の先端と固定部３０の先端は、引っ掛かった状態になっておらず宅配便配達人が取っ手を手前に引っ張ることにより、引き出し部４０（開口蓋部５０、及び突起部６０）を引き出すことができるようになっている。初期状態においては、開口蓋部５０は、玄関扉面に完全に接触しておらず隙間が空いている。
【００２１】
図２（ｂ）に記載したように宅配便配達人が、取っ手を手前に引っ張ることにより、引き出し部４０（開口蓋部５０、及び突起部６０）が引き出された状態になると、玄関扉の開口部２０から小荷物を搬入できる状態になる。宅配便配達人は、玄関扉の開口部２０から小荷物を搬入してから、取っ手を玄関側に押し込むことにより引き出し部４０（開口蓋部５０、及び突起部６０）を玄関の内側に戻すことになる。この時、固定部３０は内側に向かってテーパー状に形成されているので、突起部６０の先端は内側に向かって滑りながら玄関内側方向に移動していくことになる。
【００２２】
そして、（宅配便配達人が）開口蓋部５０を玄関扉面に完全に接触させ隙間が無い状態まで押し込むことにより、突起部６０の先端が、固定部３０の先端よりも玄関扉の奥側に入ると、突起部６０の外側と開口蓋部５０が弾性部材（例えばつるまきバネ）により連結されているため、突起部６０が外側方向に付勢されるため、図２（ｃ）に記載したように、突起部６０は、固定部３０に引っ掛かった状態になり、引き出し部４０（開口蓋部５０、及び突起部６０）は、外部からは引き出すことができない状態になり、要するに、施錠された状態になる。家人は宅配便を受け取った後、再び宅配便を受け取る必要が生じた場合、図２（ａ）に記載した状態になるように、回動自在に設置された突起部６０を、手で内側に動かしつつ先端の側面が固定部３０の先端の側面と接した状態（即ち、初期状態）になるように移動させる。
【００２３】
図２（ｄ）は、磁性材料の磁力による付勢手段を備えた宅配便受け取り口１０の上面全体図である。図２（ｄ）に記載したように、突起部６０の先端端面と固定部３０の先端外側に磁性材料が設置されている。宅配便配達人が、宅配便の小荷物を玄関扉の開口部２０から搬入した後、開口蓋部５０を玄関扉の位置まで押し出すと、突起部６０の先端端面に設置した磁性材料が固定部３０の先端外側に設置した（固定されている）磁性材料に引き寄せられる。その結果、回動自在に設置された突起部６０が外側に広がることにより、宅配便受け取り口１０を施錠する。
【００２４】
図３は宅配便受け取口１０が玄関扉に設置された状態を説明するための図である。図３（ａ）は、外側から見た宅配便受け取口１０が玄関扉に設置された状態であり、図３（ｂ）は内側から見た宅配便受け取口１０が玄関扉に設置された状態である。
【００２５】
図３に記載したように、本発明に係る宅配便受け取口１０は、宅配便小荷物を受け取ったと同時に収納するための箱を設置するものでは無いので、玄関扉の高い位置に設置して小荷物が落下し、内容物が破損してしまう危険性を考慮すれば、玄関扉の最下部付近に設置することが好ましいといえる。そして、宅配便配達人に対して、開口蓋部５０は（宅配便配達人が）玄関扉面に完全に接触させ隙間が無い状態まで押し込むことを確実に行ってもらうために、開口蓋部５０が玄関扉面に完全に接触させた時点でランプが点灯するようにするのが好ましい。かかるようにした場合には、玄関扉の正面に、宅配便配達人が見易いように「ランプが点灯するまで取っ手を押し込んで下さい」等の注意書きをすることが望ましい。
【００２６】
＜宅配便受け取り口の効果＞
本発明に係る宅配便受け取り口１０のポイントは、固定部３０、及び引き出し部４０というような２つの部材から構成されていることからも解るように、極めて簡単な構造であっても、即ち、複雑な機構等を必要とすること無く固定部３０と（引き出し部４０の）突起部６０が引っ掛かることにより施錠することができる仕組みを構成することにより、家人留守中であっても宅配便等の小荷物を受け取ることができる各家屋の開口部２０を有する玄関扉等に設置するための宅配便受け取り口１０を提供することにある。
【００２７】
上記目的を達成するために、本発明に係る宅配便受け取り口１０は、以下に記載する２つの部材から構成されている。即ち、玄関扉内側の開口部２０付近に開口部２０を挟んで左右に設置された一対の固定部３０を備えている。さらに、玄関扉の外側から玄関扉の開口部２０と対面するように出し入れ自在に設置された、開口蓋部５０と突起部６０からなる引き出し部４０とから構成されている。突起部６０は、一対の固定部３０に引っ掛かるような先端形状を備えている。要するに、複雑な機構等を必要とすること無く、固定部３０に（引き出し部４０の）突起部６０が引っ掛かることにより施錠することができる仕組みになっている。
【００２８】
引き出し部４０の突起部６０は、回動自在に設置されており、突起部６０の外側と開口蓋部５０が弾性部材により連結されているので（或いは、突起部６０の先端端面と固定部３０の先端外側に磁性材料が設置されているので）宅配便の小荷物を玄関扉の開口部２０から搬入した後、開口蓋部５０を玄関扉の位置まで押し出すと、弾性部材により連結された突起部６０が弾性により外側に広がること（或いは、突起部６０の先端端面と固定部３０の先端外側に設置した磁性材料が互いに引き寄せ合うこと）により、宅配便受け取り口１０を施錠することができるようになっている。即ち、極めて簡単な構造であっても留守中に宅配便等の小荷物を受け取ることができるようになった。
【００２９】
＜宅配便受け取り口の変更例＞
本発明に係る宅配便受け取り口１０は、上記した各実施形態の態様に何ら限定されるものではなく、開口部２０、固定部３０、引き出し部４０、開口蓋部５０、突起部６０等の構成を、本発明の趣旨を逸脱しない範囲で、必要に応じて適宜変更することができる。例えば、一対の突起部６０は、図４に記載したように一塊の弾性部材（板バネ）により形成されていても良い。突起部６０が一塊の弾性部材（板バネ）により形成される場合は、突起部６０が外側に向かって開くように付勢されているため、宅配便受け取り口１０を施錠することができるようになっている。さらに、回動自在に設置され、かつ、外側方向への付勢手段を備えた突起部６０は、１対設置するのみならず、２対設置しても良いし、３対以上設置しても良い。
【産業上の利用可能性】
【００３０】
本発明に係る宅配便受け取り口は、上記の如く優れた効果を奏するものであるので、宅配便サービスの分野において、開口部を有する玄関扉等に設置するための宅配便受け取り口として好適に用いることができる。
【符号の説明】
【００３１】
１０・・宅配便受け取り口
２０・・開口部
３０・・固定部
４０・・引き出し部
５０・・開口蓋部
６０・・突起部
【図１】
2017136192.tif 000003
【図２】
2017136192.tif 000004
【図３】
2017136192.tif 000005
【図４】
2017136192.tif 000006
【手続補正書】
【提出日】平成28年10月25日(2016.10.25)
【手続補正１】
【補正対象書類名】特許請求の範囲
【補正対象項目名】全文
【補正方法】変更
【補正の内容】
【特許請求の範囲】
【請求項１】
留守中であっても宅配便等の小荷物を受け取ることができる開口部を有する玄関扉に設置するための宅配便受け取り口であって、
玄関扉内側の開口部近傍に前記開口部を挟んで設置された一対の固定部と、
玄関扉の外側から前記開口部と対面しつつ出し入れ自在に設置された開口蓋部と突起部からなる引き出し部から構成されており、
前記突起部は、先端が外側に向かって略直角方向に曲がった形状を有しており、前記突起部の基端内側と前記開口蓋部が蝶番により固定され、さらに、前記突起部の外側と前記開口蓋部が弾性部材により連結されていることによる付勢手段を備えたことを特徴とする宅配便受け取り口。
【請求項２】
前記付勢手段は前記突起部の先端端面と前記固定部の先端外側に磁性材料が設置されていることによるものであることを特徴とする請求項１に記載の宅配便受け取り口。
【手続補正２】
【補正対象書類名】明細書
【補正対象項目名】０００８
【補正方法】変更
【補正の内容】
【０００８】
上記課題を解決するために、請求項１に記載された発明は、留守中であっても宅配便等の小荷物を受け取ることができる開口部を有する玄関扉に設置するための宅配便受け取り口であって、玄関扉内側の開口部近傍に前記開口部を挟んで設置された一対の固定部と、
玄関扉の外側から前記開口部と対面しつつ出し入れ自在に設置された開口蓋部と突起部からなる引き出し部から構成されており、前記突起部は、先端が外側に向かって略直角方向に曲がった形状を有しており、前記突起部の基端内側と前記開口蓋部が蝶番により固定され、さらに、前記突起部の外側と前記開口蓋部が弾性部材により連結されていることによる付勢手段を備えた宅配便受け取り口であることを特徴とするものである。
【手続補正３】
【補正対象書類名】明細書
【補正対象項目名】０００９
【補正方法】変更
【補正の内容】
【０００９】
請求項２に記載された発明は、請求項１において、前記付勢手段は前記突起部の先端端面と前記固定部の先端外側に磁性材料が設置されていることによるものであることを特徴とする請求項１または請求項２に記載の宅配便受け取り口であることを特徴とするものである。
【手続補正４】
【補正対象書類名】明細書
【補正対象項目名】００１０
【補正方法】削除
【補正の内容】